(57)【特許請求の範囲】
【請求項１】
踏板フレームと踏板パネルよりなる多数の階段踏板を対向する一対の階段桁間に設置する階段であって，上記踏板フレームを高剛性枠材の前後枠と該前後枠に架設して外側からネジ固定する厚肉板材の左右側板とによって枠組するとともに少なくとも上記前後枠の対向面にそれぞれ対向方向に向けて上下同一高さ位置に突設した支持突片を備えて平面矩形に形成し，該踏板フレームにおける左右側板の対向面からそれぞれネジ固定することによって踏板フレームを上記一対の階段桁間に介設固定し，該踏板フレームにその支持突片に載置して上記踏板パネルを嵌合設置してなることを特徴とする組立式の屋外設置階段。
【請求項２】
上記踏板パネルを上記踏板フレームの支持突片の下からネジ止めすることによって該踏板パネルを踏板フレームに固定してなることを特徴とする請求項１に記載の組立式の屋外設置階段。
【請求項３】
上記踏板フレームの階段桁間への介設固定を，踏板フレームの左右側板を前後枠より前後に突設した突片を備えて形成し，該突片と前後枠近傍にして該前後枠を挟む位置にそれぞれネジ穴を設置し，該ネジ穴からタップネジを階段桁に螺入することによって行なってなることを特徴とする請求項１又は２に記載の組立式の屋外設置階段。
【請求項４】
上記踏板フレーム及び階段桁を金属製とし，踏板パネルを木製としてなることを特徴とする請求項１，２又は３に記載の組立式の屋外設置階段。
【発明の詳細な説明】
【０００１】
【発明の属する技術分野】
本発明は階段に関し，特に現場で組み立てし得るようにした組立式階段に関する。
【０００２】
【発明が解決しようとする課題】
例えば特願平１０−３４９３９９のように，出願人はガレージ等の屋根面に人工土壌による緑化庭を形成したり，デッキ材を設置することによるデッキスペースを形成したりすることによって，屋上ステージを備えた組立式の独立構造物を提案している。
【０００３】
この場合屋上ステージに人が出入りするために，その昇降手段として階段を設置するのが簡便で使い勝手のよいものとし得るが，例えば従来使用されている，対向する一対の階段桁間に踏板を溶着した，非常階段等として用いられる鋼製の階段を用いると，その搬送，設置に昇降機械を必要とする等，作業が煩雑なものとなり易い。
【０００４】
本発明はかかる事情に鑑みてなされたもので，その解決課題とするところは，上記独立構造物を含めて一般にも使用でき，現場の組立が簡易且つ確実になし得るとともに構造強度を充分に確保し得るようにした組立式の屋外設置階段を提供するにある。
【０００５】
【課題を解決するための手段】
上記課題に沿って本発明は，請求項１に記載の発明を，踏板フレームと踏板パネルよりなる多数の階段踏板を対向する一対の階段桁間に設置する階段であって，上記踏板フレームを高剛性枠材の前後枠と該前後枠に架設して外側からネジ固定する厚肉板材の左右側板とによって枠組するとともに少なくとも上記前後枠の対向面にそれぞれ対向方向に向けて上下同一高さ位置に突設した支持突片を備えて平面矩形に形成し，該踏板フレームにおける左右側板の対向面からそれぞれネジ固定することによって踏板フレームを上記一対の階段桁間に介設固定し，該踏板フレームにその支持突片に載置して上記踏板パネルを嵌合設置してなることを特徴とする組立式の屋外設置階段とし，請求項２に記載の発明は，上記踏板パネルの嵌合設置を更に確実に行なうように，これを，上記踏板パネルを上記踏板フレームの支持突片の下からネジ止めすることによって該踏板パネルを踏板フレームに固定してなることを特徴とする請求項１に記載の組立式の屋外設置階段とし，請求項３に記載の発明は，階段踏板の固定を長期に亘って安定且つ確実に行なうように，これを，上記踏板フレームの階段桁間への介設固定を，踏板フレームの左右側板を前後枠より前後に突設した突片を備えて形成し，該突片と前後枠近傍にして該前後枠を挟む位置にそれぞれネジ穴を設置し，該ネジ穴からタップネジを階段桁に螺入することによって行なってなることを特徴とする請求項１又は２に記載の組立式の屋外設置階段とし，請求項４に記載の発明は，階段踏板が雨水を受けても滑りを防止して安全性を向上し，屋外設置の階段として好適なものとするように，これを，上記踏板フレーム及び階段桁を金属製とし，踏板パネルを木製としてなることを特徴とする請求項１，２又は３に記載の組立式の屋外設置階段とし，これらをそれぞれ発明の要旨として，上記課題解決の手段としたものである。
【０００６】
【発明の実施の形態】
以下図面の例に従って本発明を更に具体的に説明すれば，Ａは屋上に植物を植栽して緑化庭として使用することが可能な屋上ステージＢを形成した独立構造物の金属製，特にアルミ製としたガレージ，１はその支柱，２は該支柱１上に屋上ステージＢを形成するためのベースフレーム，３は該ベースフレーム２上に設置し，屋上ステージＢとしての人工土壌４を充填し，また手摺５を起立設置可能とするように構成したステージフレーム，Ｃは，本例において地表と屋上ステージＢのステージフレーム３に連結設置し且つ階段支柱７によって支持した踊場６との間に設置した同じく金属製，特にアルミ製とした屋外設置階段をそれぞれ示す。
【０００７】
屋外設置階段Ｃは，踏板フレーム１２と踏板パネル２１よりなる多数の階段踏板１１を対向する一対の階段桁１０間に設置する階段であって，上記踏板フレーム１２を高剛性枠材の前後枠１３と該前後枠１３に架設して外側からネジ２２固定する厚肉板材の左右側板１６とによって枠組するとともに少なくとも上記前後枠１３の対向面にそれぞれ対向方向に向けて上下同一高さ位置に突設した支持突片１５を備えて平面矩形に形成し，該踏板フレーム１２における左右側板１６の対向面からそれぞれネジ２２固定することによって踏板フレーム１２を上記一対の階段桁１０間に介設固定し，該踏板フレーム１２にその支持突片１５に載置して上記踏板パネル２１を嵌合設置したものとしてある。
【０００８】
本例において上記一対の階段桁１０は，例えば地表から約２．５ｍの高さの踊場６に４５度の角度で傾斜して設置するように約４．２ｍ程度の長さを有する，幅約５ｃｍ，高さ約２０ｃｍの長尺の金属製，特にアルミ押出材製のものとするとともに断面を縦長矩形の中空とすることによって桁材としての強度を確保した一対において同一形状にして部材の共通化を図った高剛性の枠材によるものとしてある。
【０００９】
踏板フレーム１２を形成する上記前後枠１３は，例えば約７０乃至８０ｃｍの間隔に設置した上記一対の階段桁１０間に踏板フレーム１２を構成して介設固定するように，上記間隔に略等しい長さを有する，幅及び高さを数ｃｍとする短尺の金属製，特にアルミ押出材製のものとするとともに断面を矩形乃至方形の中空とすることによって人の荷重を受けるに相応しい高剛性の枠材によるものとしてあり，上記中空部に複数，例えば上下一対のタッピングホール１４を備えるとともに，本例にあって下面を対向方向に向けて延設するように下端に上記同一高さの支持突片１５を突出してある。
【００１０】
本例において該前後枠１３は，幅約３ｃｍ，高さ約３．５ｃｍの矩形中空のものとするとともに上記支持突片１５の突出幅を約２ｃｍとし，反転使用することによって前後いずれの桁として使用可能なように前後で同一部材を使用し，部材の共通化を図ったものとしてある。
【００１１】
同じく踏板フレーム１２を形成する上記左右側板１６は，前後枠１３より前後に突設した突片１７を備えて形成し，該突片１７と前後枠１３近傍にして該前後枠１３を挟む位置にそれぞれネジ穴１８，１９，２０を設置したものとしてあり，即ち本例にあって左右側板１６は，例えば長さを約２３ｃｍ，高さを約４ｃｍの短尺にして長手方向両端部にＶ字状乃至Ｕ字状等の突片１７を形成した，金属製，例えば厚肉鋼板，アルミ鋳物，厚肉アルミ板等の金属厚肉板製のものとするとともに上記両端部の突片１７位置に桁材固定用のネジ穴１８，その各内側に前後枠１３との枠組用上下のネジ穴１９，更にその各内側に上記突片１７のネジ穴１８と前後枠１３を挟む位置に階段桁１０固定用のネジ穴２０による，長手方向片側に４箇所のネジ挿通用透孔をなすネジ穴をそれぞれ菱形の頂点に位置するように配置し，合計８箇所のネジ穴を長手方向に対称に透設したものとしてある。
【００１２】
踏板フレーム１２は，所定間隔，例えば内法を約２０ｃｍ程度とする間隔に前後枠１３を並列するとともにその長手方向両端部に左右側板１６を突き当て状に対接することによって架設して，それぞれ左右側板１６外側から，その上記前後枠１３との枠組用上下のネジ穴１９を介してそれぞれタップネジ２２を前後枠１３の上記タッピングホール１４に螺入することによって，その枠組を行い，これを平面矩形にして，上記支持突片１７を上下同一高さの下端に対向方向に突設して備えたものとしてあり，このとき上記タップネジ２２は，これを皿ネジ形態のものを用いて，そのネジ頭が左右側板１６から外側に突出して，後述の踏板フレーム１２の階段桁１０への固定に際してネジ頭がこれらの間に隙間を形成することによって，その固定を妨げることのないようにしてある。
【００１３】
踏板パネル２１は，これを，本例において木製のものとしてあり，本例の踏板パネル２１は，例えば米杉を用い，これに防腐等の処理を施して耐水性を確保するとともに耐久性に富んだものとしてあり，また本例の踏板パネル２１は，これを上記各踏板フレーム１２に対して嵌合する寸法とした各単一の厚肉板材によるものとし，その表裏を自在に使用し得るようにしてある。
【００１４】
これら一対の階段桁１０，踏板フレーム１２及び踏板パネル２１を用いた屋外設置階段Ｃは，一対の階段桁１０に踏板フレーム１２を介設固定し，これに踏板パネル２１を上記支持突片１５に載置することによって嵌合設置したものとしてあり，例えば一対の階段桁１０に所定数の踏板フレーム１２をそれぞれ介設固定して，階段桁１０と踏板フレーム１２による階段フレームの状態とし，これを，地表と上記踊場６との間に傾斜架設し，その後に各踏板フレーム１２に踏板パネル２１を嵌合するようにして，その組立を行なうようにすることができる。
【００１５】
一対の階段桁１０への踏板フレーム１２の介設固定は，その一対の階段桁１０における対向面に左右側板１６の外側面を対接し，その対向面，即ち内側面から，その上記突片１７位置及びこれと前後枠１３を挟む位置の各桁材固定用のネジ穴１８，２０を介してタップネジ２２を階段桁１０に螺入することによって行なってあり，本例にあって踏板フレーム１２の階段桁１０への固定は，左右側板１６のそれぞれに片側２箇所，長手方向両側に合計４箇所においてこれを行い，踏板フレーム１２乃至これに踏板パネル２１を嵌合設置した階段踏板１１として，その転びの可能性を解消して強固な固定を行なうものとしてある。
【００１６】
このとき本例の屋外設置階段Ｃにおいて，上記踏板パネル２１は，これを上記踏板フレーム１２の支持突片１５の下方からネジ２３止めすることによって該踏板パネル２１を踏板フレーム１２に嵌合固定してあり，上記踏板パネル２１を後設置するようにした本例の組立方法において，該ネジ２３止めは，これを，各踏板パネル２１嵌合設置後にそれぞれ各支持突片１５長手方向両端部において丸木ネジを用いて各支持突片１５に２箇所においてこれを行なうものとし，これによって屋外設置階段Ｃとして，踏板パネル２１の風圧による外れの可能性を解消したものとしてある。
【００１７】
図中２４は，上記階段桁１０の一方に起立固定した階段手摺，２５はその支柱，２６はその手摺笠木を示す。
【００１８】
図示した例は以上のとおりとしたが，支持突片を前後枠と同一高さ位置とするように左右側板にもその対向方向に向けて突設すること，踏板パネルを金属製，樹脂製等の，例えば表面に滑り止めを形成した中空，中実又は外周に下向きの脚片を有する厚肉板等によるパネルとすること，踏板パネルを踏板フレームに固定するとき，前後枠の正面乃至背面からネジ止めし又は接着剤によって接着すること等を含めて，本発明の実施に当って，階段桁，階段踏板，階段フレーム，前後枠，左右側板，踏板パネル等の各具体的材質，形状，構造，これらの関係，これらに対する付加，組立手順乃至方法，屋外設置階段としての用途等は，上記発明の要旨に反しない限り様々な形態のものとすることができる。
【００１９】
【発明の効果】
本発明は以上のとおりに構成したから，請求項１に記載の発明は，屋上ステージを備えた組立式の独立構造物における屋上ステージ昇降用のものとする場合を含めて一般にも使用でき，現場の組立が簡易且つ確実になし得るとともに構造強度を充分に確保し得るようにした組立式の屋外設置階段を提供することができ，請求項２に記載の発明は，上記踏板パネルの嵌合設置を更に確実に行なうことができ，屋外設置階段として踏板パネルが風圧で外れたりする可能性を解消することができ，請求項３に記載の発明は，階段踏板の固定を長期に亘って安定且つ確実に行なうとともにこれをネジ固定によって簡易に行なうことができ，請求項４に記載の発明は，階段踏板が雨水を受けても滑りを防止して安全性を向上し，屋外設置の階段として好適なものとすることができる。
【図面の簡単な説明】
【図１】屋上ステージ昇降用に屋外設置階段を設置したガレージの斜視図である。
【図２】図１の屋外設置階段側の側面図である。
【図３】踏板フレームの前後枠と左右側板の関係を示す分解斜視図である。
【図４】前後枠と踏板パネルの関係を示す縦断面図である。
【図５】前後枠と踏板フレームの関係を示す斜視図である。
【図６】図５の部分拡大斜視図である。
【図７】踏板フレームと踏板パネルの関係を示す部分拡大斜視図である。
【符号の説明】
Ａ ガレージ
Ｂ 屋上ステージ
Ｃ 屋外設置階段
１０ 階段桁
１１ 階段踏板
１２ 踏板フレーム
１３ 前後枠
１５ 支持突片
１６ 左右側板
２１ 踏板パネル
２２ ネジ
【図１】
0003992900.tif 000002
【図２】
0003992900.tif 000003
【図３】
0003992900.tif 000004
【図４】
0003992900.tif 000005
【図５】
0003992900.tif 000006
【図６】
0003992900.tif 000007
【図７】
0003992900.tif 000008